(57)【特許請求の範囲】
【請求項１】
ロータリー鋲（１０）であって、
吸収性材料で構成された螺旋本体（１２）であって、閉ループベース（１４）と、閉ループベース（１４）から延び、組織に穴をあける先端（１８）で終端する螺旋コイル（１６）とを有する螺旋本体（１２）を備え、
螺旋コイル（１６）の各々は、互いに隣接する弓状部分（２０）及び直線部分（２２）を含む内周部を有する断面をもつ、ロータリー鋲（１０）。
【請求項２】
請求項１記載のロータリー鋲（１０）において、
内周部は、正多角形の２面に対応する角度を定める二つの直線部分（２２）と、その二つの直線部分（２２）の端部から延びる単一の円弧部分（２０）を含む、ロータリー鋲（１０）。
【請求項３】
請求項２記載のロータリー鋲（１０）において、
正多角形は、五角形である、ロータリー鋲（１０）。
【請求項４】
請求項１記載のロータリー鋲（１０）において、
円弧部分（２０）及び直線部分（２２）は、丸い隅部によって接合される、ロータリー鋲（１０）。
【請求項５】
請求項２記載のロータリー鋲（１０）において、
円弧部分（２０）及び直線部分（２２）は、丸い隅部（２４）によって接合され、二つの直線部分（２２）は、丸い隅部（２６）によって接合される、ロータリー鋲（１０）。
【請求項６】
請求項１記載のロータリー鋲（１０）において、
螺旋近位先端（１８）の上面は、一つ以上のステップ（２８）を備える、ロータリー鋲（１０）。
【請求項７】
請求項１記載のロータリー鋲（３０）において、
弓状部分（２０）は、弓状スプライン溝（４０）を備え、直線部分は、一つの溝を他の溝に接続する半径方向の直線部分（４２）を備える、ロータリー鋲（３０）。
【請求項８】
請求項７記載のロータリー鋲（３０）において、
弓状スプライン溝（４０）の各々は、始点（４４）及び終点（４６）を有し、始点（４４）は、終点（４６）よりも小さい半径で開始し、半径方向の直線部分（４２）の各々は、一つの溝の始点（４０）を隣接する溝の終点（４６）に接続する、ロータリー鋲（３０）。
【発明の詳細な説明】
【技術分野】
【０００１】
本発明は、概ね、腹腔鏡や内視鏡処置においてヘルニア治療などに使用されるロータリー鋲に関する。
【背景技術】
【０００２】
吸収性または生分解性材料（その用語は全体を通して互換的に使用されている）で作られた鋲又は他のファスナーが知られている。例えば、その開示が参照によって本明細書中に組み込まれた、Ｂａｙｓ等に対する米国特許４８８４５７２及び４８９５１４８は、組織に必要な治療時間の超過で分解時間を有するように選ばれた生分解性材料のリペア鋲を開示する。
【発明の概要】
【課題を解決するための手段】
【０００３】
本発明は、以下に詳細に説明されるように、吸収性材料で構成されたロータリー鋲を提供することを求める。
従って、本発明の実施例に従って、吸収性材料で構成された螺旋本体であって、閉ループベースと、閉ループベースから延び、組織に穴をあける先端で終端する螺旋コイルとを有する螺旋本体を備え、螺旋コイルの各々は、互いに隣接する弓状部分及び直線部分を含む内周部を有する断面をもつ、ロータリー鋲が提供される。
【０００４】
本発明の一実施例に従って、内周部は、正多角形の２面に対応する角度を定める二つの直線部分と、その二つの直線部分の端部から延びる単一の円弧部分を含む。正多角形は、五角形にすることができる。
【０００５】
本発明の一実施例に従って、円弧部分及び直線部分は、丸い隅部によって接合される。例えば、円弧部分及び直線部分は、丸い隅部によって接合され、二つの直線部分は、丸い隅部によって接合される。
【０００６】
本発明の一実施例に従って、螺旋近位先端の上面は、一つ以上のステップを含む。
本発明の一実施例に従って、弓状部分は、弓状スプライン溝を備え、直線部分は、一つの溝を他の溝に接続する半径方向の直線部分を備える。例えば、弓状スプライン溝の各々は、始点及び終点を有し、始点は、終点よりも小さい半径で開始し、半径方向の直線部分の各々は、一つの溝の始点を隣接する溝の終点に接続する。
本発明は、図面と関連して以下の詳細な説明からより完全に理解され、認められるであろう。
【図面の簡単な説明】
【０００７】
【図１Ａ】図１Ａは、本発明の実施例に従って構成され作動される、ロータリー鋲の簡略図である。
【図１Ｂ】図１Ｂは、本発明の実施例に従って構成され作動される、ロータリー鋲の簡略図である。
【図１Ｃ】図１Ｃは、本発明の実施例に従って構成され作動される、ロータリー鋲の簡略図であり、図１Ｃは底面図である。
【図１Ｄ】図１Ｄは、本発明の実施例に従って構成され作動される、ロータリー鋲の簡略図であり、図１Ｄは上面図である。
【図２Ａ】図２Ａは、本発明の他の実施例に従って構成され作動される、ロータリー鋲の簡略図である。
【図２Ｂ】図２Ｂは、本発明の他の実施例に従って構成され作動される、ロータリー鋲の簡略図であり、図２Ｂは底面図である。
【図２Ｃ】図２Ｃは、本発明の他の実施例に従って構成され作動される、ロータリー鋲の簡略図であり、図２Ｃは上面図である。
【発明を実施するための形態】
【０００８】
本発明の実施例に従って構成され作用するロータリー鋲（a rotary tack）１０を示す図１Ａ−図１Ｄに参照がなされる。
本発明の鋲は、吸収性材料から構成される。制限しないで、鋲は、所望の分解時間に従って、選択したタイプの生物分解性ポリマー又は共重合体から構成される。その時間は、外科手術の対象である軟骨又は他の組織に対する予想される治癒時間に依存する。周知の生物分解性ポリマー又は共重合体は、ポリグリコライドのための約３カ月からポリグルタミン共ロイシン（polyglutmic-co-leucine）のための約４８カ月までの分解時間で変化する。吸収性縫合糸などに使用される一般的な生物分解性ポリマーは、約１２カ月乃至１８カ月の分解時間を有するポリ（Ｌ−ラクチド）である。制限しないで、他の商業的に入手可能なグリコライド及びラクチド共重合体に化学的に類似した合成ポリエステルのようなグリコール及び乳酸由来の吸収性共重合体から構成される。グリコライド及びラクチドは、生体内で、体内で新陳代謝される乳酸及びグリコール酸加水分解により減成及び吸収する。
【０００９】
本発明の制限しない実施例によれば、鋲１０は、閉ループベース１４、及び、閉ループベース１４から延び、組織（図示せず）に穴をあける先端１８で終端する螺旋コイル１６を有する螺旋本体１２を含む。図１Ｃ及び図１Ｄに見られるように、コイル１６の各々は、互いに隣接する少なくとも一つの弓状部分２０及び少なくとも一つの直線部分２２を含む内周部を有する断面をもつ。従来技術の螺旋ファスナーでは、ベースは開放し、すなわち、最も低いコイルは、連続的な閉じたコイル又はループでない。対照的に、本発明では、ベース１４は、閉じられる。
【００１０】
この形状は、吸収性材料で使用するために特に重要な、優れた強度をもつ鋲１０を提供する。
図１Ａ−図１Ｄの実施例では、内周部は、正多角形の２面に対応する角度を定める二つの直線部分２２と、その二つの直線部分２２の端部から延びる単一の円弧部分２０を含む。正多角形は、定められた角度が７２度である五角形にすることができる。円弧部分２０及び直線部分２２は、丸い隅部によって接合される。例えば、円弧部分２０及び直線部分２２は、丸い隅部２４によって接合され、二つの直線部分は、丸い隅部２６によって接合される。内周部は、鋲１０の駆動区分を構成し、すなわち、鋲は、それを組織（図示せず）の中にねじ込むために鋲を回転させる相補的形状の駆動シャフト（図示せず）に配置される。
【００１１】
図１Ａに見られるように、先端１８は、螺旋に対して上方に向いた広い角度Ｗで鋭利な縁を有する。角度Ｗは、コイルの螺旋角度よりもはるかに大きい。
本発明の一実施例によれば、螺旋近位先端１８の上面は、一つ以上のステップ２８（このオプションは図１Ａには示されない）を含む。ステップ２８は、引っ張り力が鋲１０に適用されたときに螺旋の開口を防止するのに役立つ。
【００１２】
本発明の実施例に従って構成され作用するロータリー鋲（a rotary tack）３０を示す図２Ａ−図２Ｃに参照がなされる。
鋲３０は、閉じたループベース３４、及び、ベース３４から延び、組織（図示せず）に穴をあける先端３８で終端する螺旋コイル３６を有する螺旋本体１２を含む。図２Ｂ及び図２Ｃに見られるように、コイル３６の各々は、互いに隣接する少なくとも一つの弓状部分及び少なくとも一つの直線部分２２を含む内周部を有する断面をもつ。
【００１３】
この実施例では、弓状部分は、弓状スプライン溝４０を含み、直線部分は、一つの溝４０を他の溝に接続する半径方向の直線部分４２を含む。例えば、弓状スプライン溝４０の各々は、始点４４及び終点４６を有し、始点４４は、終点４６よりも小さい半径で開始する。半径方向の直線部分４２の各々は、一つの溝４０の始点４４を隣接する溝４０の終点４６に接続する。ここでも、弓状部分及び直線部分は、丸い隅部によって接合される。
【００１４】
前と同様に、内周部は、鋲３０の駆動区分を構成し、すなわち、鋲は、それを組織（図示せず）の中にねじ込むために鋲を回転させる相補的形状の駆動シャフト４８（図２Ａ）に配置される。また、鋲３０は、その上面に形成されたステップを有する。
【００１５】
本発明は、特に図示され上述されたものによって制限されないことを当業者によって理解されるであろう。むしろ、本発明の範囲は、上述の特徴のコンビネーション及びサブコンビネーションの双方、及び、上述の説明を読んで当業者に生じ、従来技術にはないそれらの変形及び変更を含む。
【図１Ａ】
0005607144.tif 000002
【図１Ｂ】
0005607144.tif 000003
【図１Ｃ】
0005607144.tif 000004
【図１Ｄ】
0005607144.tif 000005
【図２Ａ】
0005607144.tif 000006
【図２Ｂ】
0005607144.tif 000007
【図２Ｃ】
0005607144.tif 000008